(57)【要約】    【課題】  ユーザに提示中の放送番組の受信状態が悪化した場合や同一放送番組を放送するチャンネルが変化した場合に、よりユーザの希望に沿ったタイミングで受信チャンネルの変更を可能とする放送受信機を提供する。    【解決手段】  放送受信機１０は、ユーザによるチャンネル設定、放送局や番組の選択の情報など、放送受信に関するユーザの指示情報を入力するキー入力部１３と、チャンネルを切り替えたときの位置、時刻、チャンネル切り替え前後のチャンネル等の情報である切り替え情報を蓄積する切り替え履歴情報保持部２０と、切り替え履歴情報保持部２０を検索し、キー入力部１３で入力したユーザの指示情報や、キー入力部１３でユーザの指示情報を入力した際の位置情報及び時刻情報に対応する切り替え情報が存在するか否かを判断し、存在する場合は、該当する切り替え情報を抽出して切り替え条件情報を生成する切り替え条件検索部２１等とを備える。【選択図】  図１
2006311249.tif 000002
【特許請求の範囲】
【請求項１】
電波放送の受信機能を備える放送受信機において、
過去にチャンネルの切り替えを行った際の状況から、受信中のチャンネルを切り替えるための切り替え条件を設定する切り替え条件設定手段と、
前記切り替え条件が満たされた時点でチャンネルを切り替えるチャンネル切り替え手段とを有することを特徴とする放送受信機。
【請求項２】
電波放送の受信機能を備える放送受信機において、
ユーザからのチャンネル切り替え指示に基づいてチャンネル切り替えを行ったときの状況を切り替え情報として蓄積する切り替え情報記憶手段と、
前記切り替え情報のうち、現在の状況に近い前記切り替え情報に基づいて、チャンネルを切り替えるための切り替え条件を設定する切り替え条件設定手段と、
前記切り替え条件に従ってチャンネルを切り替えるチャンネル切り替え手段とを有することを特徴とする放送受信機。
【請求項３】
前記切り替え情報記憶手段に蓄積される前記切り替え情報が、チャンネル切り替えを行われたときの時刻、位置や、チャンネル切り替え前後の受信内容を特定する情報の何れか１以上を含むことを特徴とする請求項２に記載の放送受信機。
【請求項４】
前記切り替え情報記憶手段に蓄積される前記位置を示す情報が、前記受信内容の送信元である基地局を識別する情報であることを特徴とする請求項２又は請求項３に記載の放送受信機。
【請求項５】
前記切り替え情報記憶手段に蓄積される前記切り替え情報が、チャンネル切り替えが行われたときのチャンネル切り替え前後における受信電波の状態に関する情報を含み、
前記切り替え条件設定手段に設定される前記切り替え条件が、前記切り替え情報のうち、前記受信電波の状態に関する情報を含むことを特徴とする請求項２から請求項４の何れか１項に記載の放送受信機。
【請求項６】
前記チャンネル切り替え手段は、前記切り替え条件のうち、前記受信電波の状態に関する情報に基づいて設定された切り替え条件が満たされると、他の切り替え条件が満たされなくてもチャンネルを切り替えることを特徴とする請求項５に記載の放送受信機。
【請求項７】
前記切り替え情報記憶手段に蓄積される前記切り替え情報が、チャンネル切り替えが行われたときのチャンネル切り替え前後のチャンネル、ネットワークＩＤ及び放送波を特定するＩＤに関する情報の何れか１以上を含むことを特徴とする請求項２から請求項６の何れか１項に記載の放送受信機。
【請求項８】
前記切り替え情報記憶手段に蓄積される前記切り替え情報が、所定時間内にユーザから行われた、切り替え後のチャンネルを切り替え前のチャンネルに戻すチャンネル切り替え指示を含むことを特徴とする請求項２から請求項７の何れか１項に記載の放送受信機。
【請求項９】
前記切り替え情報記憶手段に蓄積される前記切り替え情報が、所定時間内にユーザから複数回行われたチャンネル切り替え指示のうち、最後に行われたチャンネル切り替え指示に基づいてチャンネル切り替えを行ったときの状況であることを特徴とする請求項２から請求項８の何れか１項に記載の放送受信機。
【請求項１０】
前記切り替え条件設定手段は、前記切り替え情報のうち、互いに近い部分を有する前記状況の前記切り替え情報を統合して切り替え条件を設定することを特徴とする請求項１から請求項９の何れか１項に記載の放送受信機。
【請求項１１】
前記チャンネル切り替え手段は、切り替え条件が満たされた時点で、チャンネルを自動で切り替えることを特徴とする請求項１から請求項１０の何れか１項に記載の放送受信機。
【請求項１２】
前記切り替え条件が満たされた時点で、受信可能なチャンネルを出力する出力手段を有し、
前記チャンネル切り替え手段は、前記切り替え条件及びユーザのチャンネル切り替え指示に従ってチャンネルを切り替えることを特徴とする請求項１から請求項１１の何れか１項に記載の放送受信機。
【請求項１３】
前記出力手段は、映像又は音声によって、前記受信可能なチャンネルを出力することを特徴とする請求項１２に記載の放送受信機。
【請求項１４】
前記切り替え情報記憶手段に蓄積される前記切り替え情報が、放送波に含まれる番組の進行を特定する情報を含み、
前記切り替え条件設定手段は、チャンネル切り替えの対象となる受信中の番組の進行が、蓄積された前記番組の進行と異なる場合に、時刻情報を前記切り替え条件として設定しないことを特徴とする請求項２から請求項１３の何れか１項に記載の放送受信機。
【請求項１５】
前記切り替え情報記憶手段に蓄積される前記切り替え情報が、番組の放送開始時間及び終了時間を含み、
前記切り替え条件設定手段は、チャンネル切り替えの対象となる受信中の番組の放送開始時間又は終了時間が、蓄積された前記番組の放送開始時間又は終了時間と異なる場合に、時刻情報を前記切り替え条件として設定しないことを特徴とする請求項２から請求項１４の何れか１項に記載の放送受信機。
【請求項１６】
前記チャンネル切り替え手段は、放送波に含まれる番組内容を特定する情報に基づいて、広告放送の挿入時点や音声状態が変化した時点でチャンネルを切り替えることを特徴とする請求項１から請求項１５の何れか１項に記載の放送受信機。
【請求項１７】
電波放送の受信機能を備える放送受信機を構成するコンピュータ上で実行される放送受信制御プログラムであって、
前記放送受信機に対して、
過去にチャンネルの切り替えを行った際の状況から、受信中のチャンネルを切り替えるための切り替え条件を設定する切り替え条件設定機能と、
前記切り替え条件が満たされた時点でチャンネルを切り替えるチャンネル切り替え機能とを実行させることを特徴とする放送受信制御プログラム。
【請求項１８】
電波放送の受信機能を備える放送受信機を構成するコンピュータ上で実行される放送受信制御プログラムであって、
前記放送受信機に対して、
ユーザからのチャンネル切り替え指示に基づいてチャンネル切り替えを行ったときの状況を切り替え情報として蓄積する切り替え情報記憶機能と、
前記切り替え情報のうち、現在の状況に近い前記切り替え情報に基づいて、チャンネルを切り替えるための切り替え条件を設定する切り替え条件設定機能と、
前記切り替え条件に従ってチャンネルを切り替えるチャンネル切り替え機能とを実行させることを特徴とする放送受信制御プログラム。
【請求項１９】
前記切り替え情報記憶機能で蓄積される前記切り替え情報が、チャンネル切り替えが行われたときの時刻、位置や、チャンネル切り替え前後の受信内容を特定する情報の何れか１以上を含むことを特徴とする請求項１８に記載の放送受信制御プログラム。
【請求項２０】
前記切り替え情報記憶機能で蓄積される前記位置を示す情報が、前記受信内容の送信元である基地局を識別する情報であることを特徴とする請求項１８又は請求項１９に記載の放送受信制御プログラム。
【請求項２１】
前記切り替え情報記憶機能で蓄積される前記切り替え情報が、チャンネル切り替えが行われたときのチャンネル切り替え前後における受信電波の状態に関する情報を含み、
前記切り替え条件設定機能で設定される前記切り替え条件が、前記切り替え情報のうち、前記受信電波の状態に関する情報を含むことを特徴とする請求項１８から請求項２０の何れか１項に記載の放送受信制御プログラム。
【請求項２２】
前記チャンネル切り替え機能は、前記切り替え条件のうち、前記受信電波の状態に関する情報に基づいて設定された切り替え条件が満たされると、他の切り替え条件が満たされなくてもチャンネルを切り替えることを特徴とする請求項２１に記載の放送受信制御プログラム。
【請求項２３】
前記切り替え情報記憶機能で蓄積される前記切り替え情報が、チャンネル切り替えが行われたときのチャンネル切り替え前後のチャンネル、ネットワークＩＤ及び放送波を特定するＩＤに関する情報の何れか１以上を含むことを特徴とする請求項１６から請求項２２の何れか１項に記載の放送受信制御プログラム。
【請求項２４】
前記切り替え情報記憶機能で蓄積される前記切り替え情報が、所定時間内にユーザから行われた、切り替え後のチャンネルを切り替え前のチャンネルに戻すチャンネル切り替え指示を含むことを特徴とする請求項１８から請求項２３の何れか１項に記載の放送受信制御プログラム。
【請求項２５】
前記切り替え情報記憶機能で蓄積される前記切り替え情報が、所定時間内にユーザから複数回行われたチャンネル切り替え指示のうち、最後に行われたチャンネル切り替え指示に基づいてチャンネル切り替えを行ったときの状況であることを特徴とする請求項１８から請求項２４の何れか１項に記載の放送受信制御プログラム。
【請求項２６】
前記切り替え条件設定機能は、前記切り替え情報のうち、互いに近い部分を有する前記状況の前記切り替え情報を統合して切り替え条件を設定することを特徴とする請求項１７から請求項２５の何れか１項に記載の放送受信制御プログラム。
【請求項２７】
前記チャンネル切り替え機能は、切り替え条件が満たされた時点で、チャンネルを自動で切り替えることを特徴とする請求項１７から請求項２６の何れか１項に記載の放送受信機。
【請求項２８】
前記放送受信機に対して、
前記切り替え条件が満たされた時点で、受信可能なチャンネルを出力する出力機能を実行させ、
前記チャンネル切り替え機能は、前記切り替え条件及びユーザのチャンネル切り替え指示に従ってチャンネルを切り替えることを特徴とする請求項１７から請求項２７の何れか１項に記載の放送受信制御プログラム。
【請求項２９】
前記出力機能は、映像又は音声によって、前記受信可能なチャンネルを出力することを特徴とする請求項２８に記載の放送受信制御プログラム。
【請求項３０】
前記切り替え情報記憶機能で蓄積される前記切り替え情報が、放送波に含まれる番組の進行を特定する情報を含み、
前記切り替え条件設定機能は、チャンネル切り替えの対象となる受信中の番組の進行が、蓄積された前記番組の進行と異なる場合に、時刻情報を前記切り替え条件として設定しないことを特徴とする請求項１８から請求項２９の何れか１項に記載の放送受信制御プログラム。
【請求項３１】
前記切り替え情報記憶機能で蓄積される前記切り替え情報が、番組の放送開始時間及び終了時間を含み、
前記切り替え条件設定機能は、チャンネル切り替えの対象となる受信中の番組の放送開始時間又は終了時間が、蓄積された前記番組の放送開始時間又は終了時間と異なる場合に、時刻情報を前記切り替え条件として設定しないことを特徴とする請求項１８から請求項３０の何れか１項に記載の放送受信制御プログラム。
【請求項３２】
前記チャンネル切り替え機能は、放送波に含まれる番組内容を特定する情報に基づいて、広告放送の挿入時点や音声状態が変化した時点でチャンネルを切り替えることを特徴とする請求項１７から請求項３１の何れか１項に記載の放送受信制御プログラム。
【請求項３３】
電波放送の受信機能を備える放送受信機の受信チャンネル切り替え方法において、
過去にチャンネルの切り替えを行った際の状況から、受信中のチャンネルを切り替えるための切り替え条件を設定する切り替え条件設定ステップと、
前記切り替え条件が満たされた時点でチャンネルを切り替えるチャンネル切り替えステップとを有することを特徴とする受信チャンネル切り替え方法。
【請求項３４】
電波放送の受信機能を備える放送受信機の受信チャンネル切り替え方法において、
ユーザからのチャンネル切り替え指示に基づいてチャンネル切り替えを行ったときの状況を切り替え情報として蓄積する切り替え情報記憶ステップと、
前記切り替え情報のうち、現在の状況に近い前記切り替え情報に基づいて、チャンネルを切り替えるための切り替え条件を設定する切り替え条件設定ステップと、
前記切り替え条件に従ってチャンネルを切り替えるチャンネル切り替えステップとを有することを特徴とする受信チャンネル切り替え方法。
【請求項３５】
前記切り替え情報記憶ステップで蓄積される前記切り替え情報が、チャンネル切り替えが行われたときの時刻、位置や、チャンネル切り替え前後の受信内容を特定する情報の何れか１以上を含むことを特徴とする請求項３４に記載の受信チャンネル切り替え方法。
【請求項３６】
前記切り替え情報記憶ステップで蓄積される前記位置を示す情報が、前記受信内容の送信元である基地局を識別する情報であることを特徴とする請求項３４又は請求項３５に記載の受信チャンネル切り替え方法。
【請求項３７】
前記切り替え情報記憶ステップで蓄積される前記切り替え情報が、チャンネル切り替えが行われたときのチャンネル切り替え前後における受信電波の状態に関する情報を含み、
前記切り替え条件設定ステップで設定される前記切り替え条件が、前記切り替え情報のうち、前記受信電波の状態に関する情報を含むことを特徴とする請求項３４から請求項３６の何れか１項に記載の受信チャンネル切り替え方法。
【請求項３８】
前記チャンネル切り替えステップは、前記切り替え条件のうち、前記受信電波の状態に関する情報に基づいて設定された切り替え条件が満たされると、他の切り替え条件が満たされなくてもチャンネルを切り替えることを特徴とする請求項３７に記載の受信チャンネル切り替え方法。
【請求項３９】
前記切り替え情報記憶ステップで蓄積される前記切り替え情報が、チャンネル切り替えを行われたときのチャンネル切り替え前後のチャンネル、ネットワークＩＤ及び放送波を特定するＩＤに関する情報の何れか１以上を含むことを特徴とする請求項３４から請求項３８の何れか１項に記載の受信チャンネル切り替え方法。
【請求項４０】
前記切り替え情報記憶ステップで蓄積される前記切り替え情報が、所定時間内にユーザから行われた、切り替え後のチャンネルを切り替え前のチャンネルに戻すチャンネル切り替え指示を含むことを特徴とする請求項３４から請求項３９の何れか１項に記載の受信チャンネル切り替え方法。
【請求項４１】
前記切り替え情報記憶ステップで蓄積される前記切り替え情報が、所定時間内にユーザから複数回行われたチャンネル切り替え指示のうち、最後に行われたチャンネル切り替え指示に基づいてチャンネル切り替えを行ったときの状況であることを特徴とする請求項３４から請求項４０の何れか１項に記載の受信チャンネル切り替え方法。
【請求項４２】
前記切り替え条件設定ステップは、前記切り替え情報のうち、互いに近い部分を有する前記状況の前記切り替え情報を統合して切り替え条件を設定することを特徴とする請求項３３から請求項４１の何れか１項に記載の受信チャンネル切り替え方法。
【請求項４３】
前記チャンネル切り替えステップは、切り替え条件が満たされた時点で、チャンネルを自動で切り替えることを特徴とする請求項３３から請求項４２の何れか１項に記載の受信チャンネル切り替え方法。
【請求項４４】
前記切り替え条件が満たされた時点で、受信可能なチャンネルを出力する出力ステップを有し、
前記チャンネル切り替えステップは、前記切り替え条件及びユーザのチャンネル切り替え指示に従ってチャンネルを切り替えることを特徴とする請求項３３から請求項４３の何れか１項に記載の受信チャンネル切り替え方法。
【請求項４５】
前記出力ステップは、映像又は音声によって、前記受信可能なチャンネルを出力することを特徴とする請求項４４に記載の受信チャンネル切り替え方法。
【請求項４６】
前記切り替え情報記憶ステップで蓄積される前記切り替え情報が、放送波に含まれる番組の進行を特定する情報を含み、
前記切り替え条件設定ステップは、チャンネル切り替えの対象となる受信中の番組の進行が、蓄積された前記番組の進行と異なる場合に、時刻情報を前記切り替え条件として設定しないことを特徴とする請求項３４から請求項４５の何れか１項に記載の受信チャンネル切り替え方法。
【請求項４７】
前記切り替え情報記憶ステップで蓄積される前記切り替え情報が、番組の放送開始時間及び終了時間を含み、
前記切り替え条件設定ステップは、チャンネル切り替えの対象となる受信中の番組の放送開始時間又は終了時間が、蓄積された前記番組の放送開始時間又は終了時間と異なる場合に、時刻情報を前記切り替え条件として設定しないことを特徴とする請求項３４から請求項４６の何れか１項に記載の受信チャンネル切り替え方法。
【請求項４８】
前記チャンネル切り替えステップは、放送波に含まれる番組内容を特定する情報に基づいて、広告放送の挿入時点や音声状態が変化した時点でチャンネルを切り替えることを特徴とする請求項３３から請求項４７の何れか１項に記載の受信チャンネル切り替え方法。
【発明の詳細な説明】
【技術分野】
【０００１】
本発明は、電波放送の受信が可能な携帯電話機、ＰＤＡ、ラジオ等の放送受信機に関し、特に、視聴中の放送番組の受信状態が悪化した場合や同一放送番組を放送するチャンネルが変化した場合においても、当該番組を継続して視聴することを可能にする放送受信機、放送受信制御プログラム及び受信チャンネル切り替え方法に関する。
【背景技術】
【０００２】
現在行われているテレビ放送やラジオ放送では、同一放送局、系列局であっても、地域によって、使用されているチャンネル（周波数）が異なる場合がある。
【０００３】
すなわち、同一放送局、系列局において、同一時間帯に放送されている同一内容の番組でも、地域によって、その番組を放送受信機が受信できるチャンネル（周波数）が異なる場合がある。
【０００４】
その結果、携帯電話機や自動車などに搭載されていることにより移動しながら放送を受信できる放送受信機は、あるチャンネルの放送波を受信しながら移動し、その放送波の届く範囲から外れた際に、それまで受信していた放送波と同一内容（同一番組）の放送波を受信できなくなる場合がある。
【０００５】
このような場合において、移動先のエリアでも、それまで受信していた放送波と同一内容の放送波を引き続き受信するには、それまで放送受信機が受信していた放送波を送信しているチャンネルを、移動先のエリアのチャンネルのうち、それまで放送受信機が受信していた放送波と同一内容の放送波を送信しているチャンネルへ切り替える必要がある。
【０００６】
従来、放送受信機の移動に対応してチャンネルを切り替える方法は、放送受信機の移動により、現在放送受信機が受信している放送波の受信状態が悪化した時や、放送受信機が隣接する放送エリアに入った時などにチャンネル切り替えを行う。
【０００７】
このような、放送受信機の移動に対応してチャンネルを切り替える従来の方法の一例が、特開平７−２８４０３０号公報（特許文献１）、特開平８−１４０００４号公報（特許文献２）、特開２００１−５３６３５号公報（特許文献３）に開示されている。
【０００８】
特許文献１、特許文献２、特許文献３に開示される技術は、あらかじめ、あるいは、受信可能チャンネルのサーチ等によって取得した、各エリアにおける受信可能チャンネル情報を放送受信機に保存しておき、放送受信機の受信位置の移動や受信状況の悪化を検知することによって、移動先のエリアのチャンネルへ切り替えを行う。
【特許文献１】特開平７−２８４０３０号公報
【特許文献２】特開平８−１４０００４号公報
【特許文献３】特開２００１−５３６３５号公報
【発明の開示】
【発明が解決しようとする課題】
【０００９】
放送受信機の移動に対応した従来のチャンネルの切り替え方法は、ユーザの望むタイミングと無関係にチャンネルの切り替えが行なわれるという課題がある。
【００１０】
例えば、あるチャンネルの映像や音声をユーザに提示している放送受信機が、そのチャンネルの放送波を送信している送信局から遠ざかることにより、受信している映像や音声に乱れが発生した場合であって、その乱れが、ユーザが許容できる、放送内容を理解できる程度の乱れである場合、チャンネルを直ぐに変更せずに、ＣＭ（Ｃｏｍｍｅｒｃｉａｌ  Ｍｅｓｓａｇｅ）や番組終了まで待ってから他のチャンネルへ変更したい、ということがある。しかし、従来のチャンネルの切り替え方法は、このような場合、ユーザの意思とは関係なく別のチャンネルへ切り替えを行うので、切り替え中にユーザが番組内容を見逃すことになる。
【００１１】
特に、地上波を用いたデジタル放送（地上デジタル放送）では、チャンネル変更によって、映像提示までに１秒〜数秒かかるため、放送受信機がチャンネルを強制的に自動で切り替えると、ユーザが番組内容を見逃す時間が、アナログ放送より長時間となる。近年、日本の地上波のデジタル放送をはじめとして、世界各国で移動端末（携帯電話、ＰＤＡ等）に搭載された放送受信機で視聴可能な地上波のデジタル放送が開始される予定であるので、ユーザがこのような不利益を受ける可能性が増大することが想定される。従って、チャンネルを自動で切り替える場合は、なるべくユーザの視聴の妨げとならないタイミングでチャンネルを切り替えることが望まれる。
【００１２】
本発明の目的は、上記従来技術の欠点を解決し、ユーザに提示中の放送番組の受信状態が悪化した場合や同一放送番組を放送するチャンネルが変化した場合に、よりユーザの希望に沿うタイミングで受信チャンネルを変更できる放送受信機、放送受信制御プログラム及び受信チャンネル切り替え方法を提供することである。
【課題を解決するための手段】
【００１３】
上記目的を達成するため本発明は、電波放送の受信機能を備える放送受信機において、過去にユーザがチャンネルを切り替えた状況を示す切り替え情報に基づいて、チャンネルを切り替えるための切り替え条件を作成し、切り替え条件が満たされた時点でチャンネルを切り替える。
【００１４】
本発明の他の形態によれば、作成した切り替え条件が満たされた時点で、受信可能なチャンネルを提示し、作成した切り替え条件及びユーザのチャンネル切り替え指示に従ってチャンネルを切り替える。
【００１５】
（作用）
過去にユーザがチャンネルを切り替えた状況の時刻や位置を示す切り替え情報に基づいて、チャンネルを切り替えるための切り替え条件が作成され、過去にユーザがチャンネルを切り替えた時刻や位置と同じ時刻や位置に達して切り替え条件が満たされた時点でチャンネルが切り替えられる。
【００１６】
また、切り替え条件が満たされた時点で、受信可能なチャンネルが提示され、ユーザは、受信可能なチャンネル及びチャンネルを切り替えるタイミングを選択できる。
【発明の効果】
【００１７】
本発明の放送受信機、放送受信制御プログラム及び受信チャンネル切り替え方法によれば、よりユーザの希望に沿うタイミングで受信チャンネルを変更することで、ユーザの利便性を向上できる。
【００１８】
第１の理由は、過去にユーザがチャンネルを切り替えた状況を示す切り替え情報に基づいて、チャンネルを切り替えるための切り替え条件を作成し、切り替え条件が満たされた時点でチャンネルを切り替えるからである。
【００１９】
第２の理由は、過去にユーザがチャンネルを切り替えた状況を示す切り替え情報に基づいて、チャンネルを切り替えるための切り替え条件を作成し、切り替え条件が満たされた時点で受信可能なチャンネルを提示し、作成した切り替え条件及びユーザのチャンネル切り替え指示に従ってチャンネルを切り替えるからである。
【発明を実施するための最良の形態】
【００２０】
次に、本発明の実施の形態について図面を参照して詳細に説明する。
【００２１】
図１は、本発明の実施の形態による放送受信機の構成を示すブロック図である。
【００２２】
（構成の説明）
図１を参照すると、本実施の形態による放送受信機１０は、移動等によって同一番組を放送するチャンネルが変わった場合に、なるべくユーザが希望するタイミングでチャンネル変更が可能となるコンピュータ処理装置であって、アンテナ１１と、放送受信部１２と、キー入力部１３と、位置情報取得部１４と、時刻情報取得部１５と、制御部１６と、表示部１７と、放送特定情報取得部１９と、切り替え履歴情報保持部２０と、切り替え条件情報保持部２２とを備える。
【００２３】
アンテナ１１は、信号を受信する機能を有し、受信した信号を放送受信部１２へ入力する。
【００２４】
放送受信部１２は、アンテナ１１で受信したＴＶ放送番組の受信を行う回路であり、アンテナ１１より受信した信号からデータを生成する機能を有し、アンテナ１１から入力した信号のうち、制御部１６によって指定されたチャンネルに該当する周波数の信号を復調して受信データ（映像、音声など）を生成し、この受信データを制御部１６に入力する。
【００２５】
キー入力部１３は、放送受信機１０を操作するための各種操作キーや文字や数字等の入力を行うためのキー等を含み、ユーザによるチャンネル設定、放送局や番組の選択の情報など、放送受信に関するユーザの指示情報を入力する機能を有し、入力したユーザの指示情報を制御部１６に送信する。
【００２６】
位置情報取得部１４は、例えば、ＧＰＳ（Ｇｌｏｂａｌ  Ｐｏｓｉｔｉｏｎｉｎｇ  Ｓｙｓｔｅｍ）等を用いて放送受信機１０の位置情報（緯度、経度、高度）を取得する機能を有し、取得した位置情報を制御部１６に送信する。
【００２７】
時刻情報取得部１５は、例えば、内蔵する時計などを用いて時刻情報を取得する機能を有し、取得した時刻情報を制御部１６に送信する。
【００２８】
制御部１６は、放送受信機１０の処理動作を制御するための回路であり、放送受信に関する制御を行う。
【００２９】
すなわち、制御部１６は、信号の受信制御、受信データ（映像、音声など）のデコード、受信データの表示制御など、放送受信機１０における制御処理全般を行う機能を有し、位置情報取得部１４から送信された位置情報や、時刻情報取得部１５から送信された時刻情報に基づいて、信号の受信制御や受信データの表示制御などを行い、放送受信部１２から入力した受信データを映像及び音声情報などにデコードして表示部１７へ出力する。
【００３０】
ここで、本実施の形態による放送受信機１０のハードウェア構成を説明する。
【００３１】
図２は、放送受信機１０のハードウェア構成を示すブロック図である。
【００３２】
図２を参照すると、本発明による放送受信機１０は、一般的なコンピュータ処理装置と同様のハードウェア構成１００によって実現することができ、ＣＰＵ１０１、ＲＡＭやＲＯＭ等の主記憶部１０２、放送波を受信してデジタルデータ等を入力する放送受信部１０３、液晶ディスプレイ等の表示部１０４、スピーカ１０５、キーボードやマウス等の入力部１０６、インタフェース部１０７、不揮発メモリやＤＲＡＭ、ハードディスク装置等の補助記憶部１０８等を備えている。
【００３３】
放送受信機１０は、その動作をハードウェア的に実現することは勿論として、放送受信機１０に搭載されるＣＰＵ３０１上で、放送受信及び受信データの処理に関する機能を提供する放送受信制御プログラムを、ＣＰＵ３０１（制御部１６）で実行することにより、ソフトウェア的に実現することができる。この放送受信制御プログラムは、補助記憶部３０８に格納され、ＣＰＵ３０１によって補助記憶部３０８から主記憶部３０２を介してロードされ、その動作を制御することにより、上述した各機能を実現する。
【００３４】
表示部１７、は、液晶ディスプレイなどであって、制御部１６から送信された映像情報などをユーザに表示する機能を有し、放送受信部１１で受信した放送番組内容の表示、チャンネル切り替え条件が満たされたことの表示、切り替えるチャンネルの候補を複数表示、その他放送受信機１０が備える機能に基づく各種情報の表示を行う。
【００３５】
スピーカ１８は、ステレオスピーカなどであって、制御部１６から送信された音声情報などをユーザに出力する機能を有し、放送受信部１１で受信した放送番組内容の出力や、アナウンスや電子音等により、チャンネル切り替え条件が満たされたことを知らせることや、切り替えるチャンネルの候補を複数知らせることを行う。
【００３６】
放送特定情報取得部１９は、チャンネル切り替え前後のチャンネル、ネットワークＩＤや放送局名など放送波を特定するＩＤ、番組名、番組の開始時間及び終了時間、受信電波の強弱等の受信状態などを示す放送特定情報を取得する機能を有し、取得した放送特定情報を制御部１６に送信する。
【００３７】
切り替え履歴情報保持部２０は、チャンネルを切り替えたときの位置、時刻、チャンネル切り替え前後のチャンネル等の情報である切り替え情報を蓄積し、切り替え履歴情報として保持する機能を有し、この切り替え履歴情報を不揮発メモリやＤＲＡＭ、或いはメモリカード等に保持する。
【００３８】
なお、チャンネル切り替え前後のチャンネル等の情報は、放送特定情報取得部１９で取得した、チャンネル切り替え前後のチャンネル、ネットワークＩＤや放送局名など放送波を特定するＩＤ、番組名、番組の開始時間及び終了時間、受信電波の強弱等を含む受信状態を示す放送特定情報などを有する。
【００３９】
切り替え条件検索部２１は、切り替え履歴情報保持部２０で保持する切り替え履歴情報を検索し、キー入力部１３で入力したユーザの指示情報や、位置情報取得部１４及び時刻情報取得部１５が取得した、キー入力部１３でユーザの指示情報を入力した際の位置情報及び時刻情報や、放送特定情報取得部１９で取得した放送特定情報に対応する切り替え情報が存在するか否かを判断し、存在する場合は、該当する切り替え情報を抽出して切り替え条件情報を生成する機能を有し、生成した切り替え条件情報を切り替え条件情報保持部２２に送信する。
【００４０】
また、切り替え条件検索部２１は、生成した切り替え条件情報で示される条件や、切り替え条件情報保持部２２から取得した切り替え条件情報で示される条件を、制御部１６で制御するチャンネル切り替え処理の切り替え条件としてセットする機能を有する。
【００４１】
切り替え条件情報は、表示部１７で表示中の放送のチャンネルを切り替えるための条件を示す情報であって、チャンネルを切り替える時刻、位置や、切り替え後のチャンネル、ネットワークＩＤや放送局名など放送波を特定するＩＤや、過去にチャンネルを切り替えるトリガとなったＢＥＲ（Ｂｉｔ  Ｅｒｒｏｒ  Ｒａｔｅ）、Ｃ／Ｎ（Ｃａｒｒｉｅｒ  ｔｏ  Ｎｏｉｓｅ  Ｒａｔｉｏ）、電界強度等を示す情報である。
【００４２】
切り替え条件情報保持部２２は、切り替え条件検索部２１によって生成された切り替え条件情報を保持する機能を有する。
【００４３】
また、切り替え条件情報保持部２２は、チャンネル切り替え前後で表示部１７で表示する放送が同一の場合などにおいて、切り替え条件検索部２１によって生成された切り替え条件情報と、切り替え条件情報保持部２２が保持する切り替え条件情報のうち、チャンネルを切り替える時刻、位置等が切り替え条件検索部２１によって生成された切り替え条件情報が示す時刻、位置等に近い切り替え条件情報とを統合して保持する機能を有する。
【００４４】
本実施の形態による放送受信機１０は、この切り替え条件情報によって示される切り替え条件が満たされた場合、表示部１７で表示中の放送のチャンネルを切り替える。
【００４５】
なお、図１に示す各構成要素については、主に放送受信機１０の放送の受信及び表示機能を実現するための構成要素を示したが、これらの構成要素の以外に、放送受信機１０の有する他の機能に応じて各種の構成要素を備えることは言うまでもない。
【００４６】
例えば、カメラ機能や電話・通信機能を実現する構成要素を備える場合を想定することができる。
【００４７】
（動作の説明）
次いで、本実施の形態による放送受信機１０の動作を説明する。
【００４８】
本実施の形態による放送受信機１０によるチャンネル切り替え条件情報の生成処理、及び、チャンネル切り替え処理について、図３、図４のフローチャートを参照して説明する。
【００４９】
図３は、本実施の形態の放送受信機１０によるチャンネル切り替え条件情報の生成処理を示すフローチャートである。
【００５０】
まず、放送受信機１０は、ユーザから指定されたチャンネルを選局（ステップ３０１）し、指定された番組を表示部１７やスピーカ１８により提示する。
【００５１】
次いで、指定された番組の提示中（ステップ３０２）に、キー入力部１３が、ユーザの指示情報である、チャンネル切り替え指示の情報を入力する（ステップ３０３）。
【００５２】
次いで、位置情報取得部１４、時刻情報取得部１５及び放送特定情報取得部１９は、ステップ３０３でキー入力部１３が情報を入力した際の時刻、位置、切り替え前後のチャンネル、番組名等から構成されるチャンネルの切り替え情報を取得し、切り替え履歴情報保持部２０が、この切り替え情報を切り替え履歴情報として保持し（ステップ３０４）、表示部１７やスピーカ１８が、ユーザの指示情報に基づいて、チャンネルの切り替え後に受信した、ユーザが指定した番組を提示する。
【００５３】
次いで、切り替え条件検索部２１は、位置情報取得部１４、時刻情報取得部１５及び放送特定情報取得部１９がステップ３０４で取得した切り替え情報と、切り替え履歴情報保持部２０が保持している切り替え履歴情報と、切り替え条件情報保持部２２が保持する切り替え条件情報とから、番組名が同一で、時刻、位置等が近い切り替え情報を検索し、切り替え条件情報保持部２２が、切り替え条件検索部２１によって検索された切り替え情報を統合することで、保持する切り替え条件情報を更新し、新たな切り替え条件情報を生成する（ステップ３０５）。
【００５４】
このようにして、放送受信機１０は、切り替え条件情報を作成し、この切り替え条件情報をチャンネルを切り替える際の切り替え条件に用いることによって、後述するチャンネル切り替え処理を行う。
【００５５】
なお、図３の示すチャンネル切り替え条件情報の生成処理は、後述するチャンネル切り替え処理が行われ、チャンネルが選局された後（ステップ３０１）、番組の提示中（ステップ３０２）にユーザからのチャンネル切り替え指示が発生したときに（ステップ３０３）、再度、上記ステップを繰り返すことによって、保持する切り替え条件情報を更新し、新たな切り替え条件情報を生成する（ステップ３０５）。
【００５６】
図４は、本実施の形態の放送受信機１０によるチャンネル切り替え処理を示すフローチャートである。
【００５７】
まず、キー入力部１３が、ユーザの指示情報を入力し、制御部１６が、ユーザの指示情報に基づいたチャンネルを選局する（ステップ４０１）。そして、放送受信部１２が受信データを取得すると、位置情報取得部１４及び時刻情報取得部１５が、キー入力部１３でユーザの指示情報を入力した際の位置情報及び時刻情報を取得し、放送特定情報取得部１９が、選局されたチャンネルの放送波から、ネットワークＩＤや放送局名など放送波を特定するＩＤを取得する（ステップ４０２）。
【００５８】
同時に、放送特定情報取得部１９が、ユーザの指示情報に基づいて選局された、表示部１７やスピーカ１８で提示中の番組名も取得する（ステップ４０３）。
【００５９】
切り替え条件検索部２１は、放送特定情報取得部１９が取得した放送波のＩＤ、番組名とチャンネルをキーに、切り替え履歴情報保持部２０が保持する切り替え情報及び切り替え条件情報保持部２２が保持する切り替え条件情報から、番組名が同一の情報を検索し（ステップ４０４）、該当する切り替え条件情報が存在するか否かを判断する（ステップ４０５）。
【００６０】
まず、ステップ４０４で、切り替え履歴情報保持部２０が保持する切り替え情報を検索する。
【００６１】
次いで、ステップ４０５で、切り替え履歴情報保持部２０が保持する切り替え履歴情報内に該当する切り替え情報が存在すると判断した場合、切り替え条件検索部２１は、その切り替え情報を切り替え条件情報保持部２２へ送信する。
【００６２】
ステップ４０５で、該当する切り替え情報が複数存在すると判断した場合、切り替え条件検索部２１は、該当する全ての切り替え情報を切り替え条件情報保持部２２へ送信する。
【００６３】
または、ステップ４０５で、該当する切り替え情報が複数存在すると判断した場合、切り替え条件検索部２１は、ステップ４０２で位置情報取得部１４及び時刻情報取得部１５が取得した情報が示す位置や時刻に最も近い位置や時刻を含む切り替え情報を、切り替え条件情報保持部２２へ送信してもよい。
【００６４】
切り替え条件情報保持部２２は、切り替え履歴情報保持部２０から送信された切り替え情報に基づいて、この切り替え情報が示す位置や時刻に近い位置や時刻を示す切り替え条件情報を切り替え条件情報保持部２２が既に保持していると判断した場合、既に保持している切り替え条件情報と、この切り替え情報とを統合して保持する。
【００６５】
次に、ステップ４０４で、切り替え条件検索部２１は、切り替え条件情報保持部２２が保持する切り替え条件情報を検索する。
【００６６】
ステップ４０５で、切り替え条件情報保持部２２が保持する切り替え条件情報内に、該当する切り替え条件情報が存在すると判断した場合、切り替え条件検索部２１は、その切り替え条件情報で示される条件を、制御部１６で制御するチャンネル切り替え処理の切り替え条件としてセットする（ステップ４０６）。
【００６７】
また、ステップ４０５で、該当する切り替え条件情報が複数存在すると判断した場合、切り替え条件検索部２１は、切り替え条件としてセットされた頻度がもっとも多い切り替え条件情報で示される条件をセットする。
【００６８】
また、ステップ４０２で位置情報取得部１４及び時刻情報取得部１５が取得した情報が示す位置や時刻に最も近い位置や時刻を含む切り替え条件情報で示される条件をセットしてもよい。
【００６９】
一方、ステップ４０４で、切り替え条件検索部２１は、切り替え履歴情報保持部２０が保持する切り替え情報及び切り替え条件情報保持部２２が保持する切り替え条件情報から、番組名が同一の情報を検索できない場合、この番組名において過去にチャンネル切り替え処理を行ったことがないため該当する切り替え情報が存在しないと判断して（ステップ４０５）ステップ４０９に進み、放送受信機１０は、受信電波の減衰やユーザからのチャンネル切り替え指示等をトリガとして、チャンネル切り替え処理を行う。
【００７０】
次いで、放送受信機１０は、ユーザの指示情報に基づいて選局された番組を通常どおり表示部１７やスピーカ１８へ提示しながら、位置情報取得部１４及び時刻情報取得部１５から得られる位置情報及び時刻情報を監視し、ステップ４０６でセットした切り替え条件に一致する状況が発生するのを待つ（ステップ４０７）。
【００７１】
切り替え条件に一致する状況が発生したら（ステップ４０８）、放送受信機１０は、ステップ４０６でセットした切り替え条件に含まれる切り替え先チャンネルにチャンネルを切り替える（ステップ４０９）。
【００７２】
なお、図４に示すチャンネル切り替え処理は、ステップ４０９でチャンネルを切り替えた後、選局された（ステップ４０１）チャンネル受信データに基づいて、位置情報及び時刻情報等を取得し（ステップ４０２）、再度上記ステップを繰り返すことによって、切り替え条件に含まれる切り替え先チャンネルにチャンネルを切り替える（ステップ４０９）。
【００７３】
このようにして、放送受信機１０は、ユーザが過去にチャンネル切り替えを行ったときの切り替え条件を用いて、それ以降のチャンネル切り替え処理を行う。
【００７４】
（第２の実施の形態）
次に、本発明の第２の実施の形態について、図面を参照して説明する。
【００７５】
本実施の形態による放送受信機の構成は、第１の実施の形態による放送受信機の構成と同様であるので、説明を省略する。
【００７６】
本実施の形態による放送受信機の動作について、図５のフローチャートを参照して説明する。
【００７７】
図５は、本実施の形態の放送受信機によるチャンネル切り替え処理を示すフローチャートである。
【００７８】
本実施の形態の放送受信機によるチャンネル切り替え条件情報の生成処理は、図３で示す第１の実施の形態と同様であるが、切り替え条件を用いたチャンネル切り替え処理が、図４で示す第１の実施の形態の例と異なる。
【００７９】
本実施の形態の放送受信機によるチャンネル切り替え処理は、切り替え条件に一致する状況が発生した場合（ステップ４０８）、切り替え条件情報保持部２２で生成された切り替え条件情報に基づいて自動でチャンネルを切り替えるのではなく、その切り替え条件情報で示される位置や時刻において、過去にチャンネルを切り替えた代替チャンネルが存在することを表示部１７でユーザに提示し（ステップ４１０）、代替チャンネルへの切り替えを促し、そして、キー入力部１３でユーザからのチャンネル切り替え指示を入力し、チャンネルを切り替える（ステップ４１１）。
【００８０】
また、本実施の形態の放送受信機によるチャンネル切り替え処理は、切り替え条件情報保持部２２で生成された切り替え条件情報が示す条件によって、または、予め入力されたモード選択情報を含むユーザの指示情報によって、代替チャンネルへの切り替え指示をユーザから待つモードと、自動でチャンネルを切り替えるモードとを選択することも可能である。
【００８１】
さらに、チャンネル切り替え条件情報の生成処理において、放送エリアごとに予め定められた受信可能チャンネル情報を用いて切り替え条件情報を生成し（図３、ステップ３０５）、切り替え条件に一致する状況が発生した場合（ステップ４０８）、放送エリアごとの受信可能チャンネル情報を表示部１７でユーザに提示する（ステップ４１０）ことも可能である。
【００８２】
（第３の実施の形態）
次に、本発明の第３の実施の形態について説明する。
【００８３】
本実施の形態による放送受信機の構成は、第１の実施の形態による放送受信機の構成と同様であるので、説明を省略する。
【００８４】
本実施の形態による放送受信機の動作について、図６のフローチャートを参照して説明する。
【００８５】
図６は、本実施の形態の放送受信機によるチャンネル切り替え処理を示すフローチャートである。
【００８６】
本実施の形態の放送受信機は、チャンネル切り替え処理以降に新たな処理が追加されている点が、図４で示す第１の実施の形態の例と異なる。
【００８７】
本実施の形態による放送受信機の動作は、第１の実施の形態によるチャンネル切り替え処理（ステップ４０９）以降に、チャンネルを切り替える条件として用いた切り替え条件が、ユーザの求める切り替え条件か否かを示す情報を取得する処理（ステップ４１２）を追加する。
【００８８】
すなわち、本実施の形態による切り替え履歴情報保持部２０が、ステップ４０９でチャンネルを切り替える条件として用いた切り替え条件情報とこの切り替え条件がユーザの求める切り替え条件か否かを示す情報とを取得し、これらを対応付けて保持する処理（ステップ４１２）を追加する。
【００８９】
例えば、本実施の形態による放送受信機が、自動でチャンネルを切り替えた際に、チャンネルを切り替えた数秒以内にユーザの指示情報の入力により切り替え後のチャンネルを切り替え前のチャンネルに戻した場合や、切り替え後のチャンネルの放送波の受信状態が予め定められた所定のレベルより悪かった場合などは、このチャンネルの切り替え（ステップ４０９）が妥当でなく、ユーザの求める切り替えではないと考えられる。
【００９０】
従って、切り替え履歴情報保持部２０は、上記のような場合に、放送受信機がチャンネルを切り替えた際に（ステップ４０９）、このチャンネルの切り替えにおける切り替え条件情報と、このチャンネルの切り替えが適切でないことを示す切り替え不適情報とを取得し、この切り替え条件情報と、この切り替え不適情報とを対応付けて保持する（ステップ４１２）。
【００９１】
その後、本実施の形態による切り替え条件検索部２１は、ステップ４０５で、切り替え履歴情報保持部２０が保持する切り替え情報に、切り替え条件に該当する情報が存在するか否かを判断する際に、該当する切り替え情報を検索できても、切り替え不適情報が対応付けられた切り替え情報については、存在しないものと判断する。
【実施例１】
【００９２】
図１〜図３に示した第１の実施の形態による放送受信機１０を地上デジタル放送に適用した場合の実施例１について、図７〜図９を参照して説明する。
【００９３】
図７は、本発明の実施例１による切り替え条件情報生成処理を示すフローチャートである。
【００９４】
本発明の実施例１による切り替え条件情報生成処理の説明の前提として、同一番組サーチに至る過程や、切り替え履歴情報保持部２０が切り替え情報を蓄積して生成した切り替え履歴情報について説明する。
【００９５】
まず、同一番組サーチに至る過程について説明する。なお、同一番組サーチは、それまで視聴していた番組と同一の番組を受信できる他のチャンネルを検索する機能である。
【００９６】
ＥＰＧ（Ｅｌｅｃｔｒｏｎｉｃ  Ｐｒｏｇｒａｍ  Ｇｕｉｄｅ：電子番組案内）情報や、切り替え先として受信可能なチャンネル一覧情報などが表示部１７やスピーカ１８で提示されてユーザに提示された中から切り替え先のチャンネルをユーザが選択し、あるいは、切り替え先のチャンネル番号をユーザが直接指定するなどにより、キー入力部１３は、ユーザが視聴したいチャンネルを示す情報を含むユーザの指示情報を入力する。
【００９７】
放送受信機１０は、キー入力部１３が入力したユーザの指示情報に基づいて、ユーザが選択したチャンネルを選局し、切り替え後のチャンネルの放送波を受信する。
【００９８】
ここで、受信した切り替え後のチャンネルの放送波の受信状態が悪化してユーザが番組内容を理解できなくなったときなどは、放送受信機１０は、ユーザによる同一番組サーチなどのユーザの指示情報をキー入力部１３で入力することによって、チャンネル切り替えを起動する。
【００９９】
同一番組サーチによって、同一番組を受信できる他のチャンネルが見つかった場合、切り替え履歴情報保持部２０が、その情報を切り替え情報として保持する。
【０１００】
次いで、切り替え履歴情報保持部２０が切り替え情報を蓄積して生成した切り替え履歴情報について説明する。
【０１０１】
図８は、本発明の実施例１による切り替え履歴情報保持部２０が切り替え情報を蓄積して生成した切り替え履歴情報の１例である。
【０１０２】
図８を参照すると、切り替え履歴情報保持部２０は、チャンネルの切り替えが発生したときの時刻、位置や、切り替え前後における、番組名、ネットワークＩＤ、チャンネルを、切り替え情報の構成項目として保持し、切り替え履歴情報を生成している。
【０１０３】
例えば、放送受信機１０が、番組名「ニュースＡ」をネットワークＩＤ＝０ｘ７ＥＢ４、チャンネル＝２５で受信していたときに、ユーザにより同一番組サーチが起動されたとする。
【０１０４】
同一番組サーチの結果、同一番組サーチ前に受信していた番組名「ニュースＡ」と同一の番組名である「ニュースＡ」を視聴できる他のチャンネル（ネットワークＩＤ＝０ｘ７Ｆ９４、チャンネル＝３０）が検索できる。そして、受信中のチャンネルを、この検索されたチャンネルに切り替えた場合の切り替え情報が、Ｎｏ．０の行で示される各構成項目の情報である。
【０１０５】
本実施例１による切り替え条件情報の生成処理は、この切り替え情報に基づいて、切り替え条件情報を生成する。
【０１０６】
次いで、本実施例１による切り替え条件情報の生成処理の１例を説明する。
【０１０７】
まず、切り替え条件検索部２１が、切り替え履歴情報１９が保持する切り替え履歴情報を参照し（ステップ７０１）、切り替え履歴情報１９が新規に取得した切り替え情報と、チャンネルの切り替え前または切り替え後の番組名、ネットワークＩＤ、チャンネルが一致する切り替え情報を検索する（ステップ７０２）。
【０１０８】
ステップ７０２で検索した結果、これらが一致する切り替え情報が存在する場合、検索された切り替え情報と新規に取得された切り替え情報とがそれぞれ示す時刻に相関関係があるか否かを調べる（ステップ７０３）。
【０１０９】
ステップ７０３で相関関係を調べた結果、時刻の相関関係が、予め指定した所定の閾値以上となる切り替え情報の組み合わせがあれば、組み合わされた切り替え情報に基づいて示される時刻を、チャンネルの切り替えトリガとする切り替え条件情報を生成する（ステップ７０４）。
【０１１０】
さらに、切り替え条件検索部２１が、切り替え履歴情報１９が保持する切り替え履歴情報を参照し、切り替え履歴情報１９が新規に取得した切り替え情報と、チャンネルの切り替え前または切り替え後のネットワークＩＤ、チャンネルが一致する切り替え情報を検索する（ステップ７０５）。
【０１１１】
ステップ７０５で検索した結果、これらが一致する切り替え情報が存在する場合、検索された切り替え情報と新規に取得された切り替え情報がそれぞれ示す位置に相関関係があるか否かを調べる（ステップ７０６）。
【０１１２】
ステップ３０６で相関関係を調べた結果、位置の相関関係が、予め指定した所定の閾値以上となる切り替え情報の組み合わせがあれば、組み合わされた切り替え情報に基づいて示される位置を、チャンネルの切り替えトリガとする切り替え条件情報を生成する（ステップ７０７）。
【０１１３】
このような処理手順によって生成された切り替え条件情報の１例を図９に示す。
【０１１４】
図９を参照すると、切り替え条件情報２１は、切り替え条件情報を構成する構成項目として、切り替え条件として優先される構成項目（位置又は時刻）、チャンネルの切り替えを推奨する切り替え時刻、チャンネルの切り替えが可能な時刻の期間（切り替え時刻）、チャンネルを切り替える位置、切り替え前後のチャンネル、ネットワークＩＤ、番組名を示す情報を保持している。
【０１１５】
時刻の相関関係が高いため、組み合わされることで複数の切り替え情報に基づいて生成された切り替え条件情報の場合、情報チャンネルの切り替えを推奨する切り替え時刻は、チャンネルを切り替えた頻度や、チャンネルを切り替える前、切り替えた後の受信状態などに基づいて、切り替え時刻としてより妥当な時刻として算出された時刻を採用する。
【０１１６】
例えば、図８で示す切り替え履歴情報を参照すると、Ｎｏ．０とＮｏ．３との切り替え情報において、切り替え前後の番組名、ネットワークＩＤ、チャンネルが一致しているので、この２つの切り替え情報の各構成項目が示す情報に基づいて切り替え条件情報を生成する。この２つの切り替え情報の構成項目が示す情報は、位置及び時刻の相関関係が高いと判断され、図９のＮｏ．０の行に示されるような切り替え条件情報が生成される。
【０１１７】
従って、図９のＮｏ．０の行に示されるような切り替え条件情報に基づいて情報チャンネルの切り替えを行う場合、情報チャンネルの切り替えを推奨する切り替え時刻は、チャンネルを切り替えた頻度や、チャンネルを切り替える前、切り替えた後の受信状態などに基づいて、切り替え時刻としてより妥当な時刻として算出された時刻を採用する（時刻０８時１５分０４秒）。
【０１１８】
一方、時刻の相関関係が高くない切り替え情報から生成された切り替え条件情報は、構成項目として切り替え時刻と番組名とを保持しない。
【０１１９】
例えば、図８で示す切り替え履歴情報を参照すると、Ｎｏ．２とＮｏ．４との切り替え情報は、番組名は一致しないが、切り替え前後のネットワークＩＤ、チャンネルが一致するので、この２つの切り替え情報の構成項目が示す情報は、位置の相関関係が高く、また、時刻の相関関係が高くないと判断されることから、図９のＮｏ．１の行に示されるように、切り替え条件として切り替え時刻を有さず、時刻に依存しない切り替え条件情報が生成される。
【０１２０】
その理由は、切り替え情報において、番組名は一致しないが、切り替え前後のネットワークＩＤ、チャンネルが一致する場合とは、時刻により放送されている番組が異なるため、チャンネル切り替え前後において、受信しているチャンネルの放送波のネットワークＩＤ、チャンネルが同一であっても、番組名が一致しない場合だからである。従って、切り替え情報として、時刻の相関関係は高くないが、位置の相関関係は高いと考えられるからである。
【０１２１】
図９に示す切り替え条件情報の１例において、切り替え位置は、過去に切り替えが行われた範囲を示す。ここでは、切り替え位置は、２つの切り替え情報から生成した切り替え条件情報のため、２地点により定まる範囲を示しているが、切り替え条件情報を互いに相関関係が高い複数の切り替え情報から生成することで、複数地点により定まる範囲を示すものでもよい。
【０１２２】
本実施例１は、このような切り替え条件情報生成処理によって生成された切り替え条件情報を用いてチャンネルの切り替えを行う。
【０１２３】
例えば、本実施例１による放送受信機１０は、番組名が「ニュースＡ」の番組を、ネットワークＩＤ＝０ｘ７ＥＢ４、チャンネル＝２５で受信している場合、図９に示されるＮｏ．０の切り替え条件が発生するのを待つ。
【０１２４】
次いで、放送受信機１０は、放送受信機１０が放送波を受信する位置が「切り替え位置の範囲」に示される範囲内となり、チャンネルの切り替えを推奨される「切り替え時刻」に示される時刻となったときに、図９に示されるＮｏ．０の切り替え条件情報に基づいて、番組名は同一の「ニュースＡ」で、ネットワークＩＤ＝０ｘ７Ｆ９４、チャンネル＝３０に切り替える。
【０１２５】
切り替え情報は、図８に示すＮｏ．１の切り替え情報のように、チャンネルの切り替え前後で番組名が変化していてもよい。
【０１２６】
切り替え履歴情報１９が、チャンネルの切り替え前後で番組名が異なるこのような切り替え情報を保持することにより、放送受信機１０が放送波を受信する位置を移動した際に同一番組へチャンネルを切り替える場合だけでなく、番組の切れ目で同一系列や他系列の代替チャンネルへ切り替える場合にも、このような切り替え情報を切り替え条件情報として用いることができる。
【０１２７】
本実施例１によれば、例えば、切り替え条件に時刻及び位置情報を用いることで、過去にユーザが所定の範囲の時刻に所定の範囲の場所でチャンネルを切り替えていた場合に、ユーザがチャンネルを切り替える頻度が高い時刻及び位置でチャンネルを切り替える。従って、放送受信機の受信位置の移動に伴い、一定の時刻に一定の場所でユーザがよく視聴する番組を受信するために、ユーザが望むタイミングに近いタイミングでチャンネルを切り替えることができる。
【０１２８】
また、本実施例１によれば、例えば、切り替え条件に過去にユーザがチャンネルを切り替えた位置情報を用いることで、エリアごとに予め定められた受信可能チャンネルにかかわらず、ユーザが通る頻度が高い場所において、放送受信機の受信位置の移動に伴い、ユーザが望むよりきめ細かな位置に応じてチャンネルを切り替えることができる。従って、例えば、ビル影等により局所的に現エリアより他エリアの放送波の受信状況が良い場合のチャンネル切り替えにも対応できる。
【実施例２】
【０１２９】
本実施例２は、第１の実施の形態に対応する例であり、切り替え履歴情報保持部２０が、切り替え履歴情報として保持する切り替え情報について、実施例１で図８に示した切り替え情報以外に、チャンネル切り替え前後の放送受信機の放送波の受信状態を示す情報を切り替え情報に追加して保持する。
【０１３０】
本実施例２は、切り替え履歴情報保持部２０が、ＢＥＲ（Ｂｉｔ  Ｅｒｒｏｒ  Ｒａｔｅ）、Ｃ／Ｎ（Ｃａｒｒｉｅｒ  ｔｏ  Ｎｏｉｓｅ  Ｒａｔｉｏ）、電界強度など、放送波の受信状態を示す情報を切り替え情報として保持し、切り替え条件検索部２１が、切り替え履歴情報保持部２０に保持された切り替え情報の履歴から切り替え条件情報を生成し、生成した切り替え条件情報を、チャンネルの切り替えに用いる。
【０１３１】
放送波の受信状態を示す情報に基づいて生成した切り替え条件情報をチャンネルの切り替えに用いる例として、本実施例２は、チャンネル切り替え前後の放送波の受信状態がある閾値以上または閾値以下となった時点で、切り替え条件情報で示された切り替え時刻や切り替え位置に優先してチャンネルを切り替える。
【０１３２】
切り替え条件情報で示された切り替え位置に優先してチャンネルを切り替える例として、本実施例２は、チャンネル切り替え前に受信中の放送波の受信状態がある閾値より悪い場合に、切り替え条件情報で示される切り替え位置に達する前にチャンネルを切り替える。
【０１３３】
従って、この場合、本実施例２は、チャンネルを切り替える位置を、切り替え条件情報で示される切り替え位置からずらすことができ、切り替え位置に達する前に放送波の受信が途絶えるなどのトラブルを回避でき、所定のレベル以上の受信状態を維持して継続的にユーザに番組の提示を行うことを可能とする。
【０１３４】
なお、本実施例２は、表示部１７で、代替チャンネルを表示すると共に、放送波の受信状態を示す情報も表示可能である。この場合、キー入力部１３でのユーザの指示情報入力により、チャンネル切り替え前に受信中の放送波の受信状態がある閾値より悪い場合は、切り替え条件情報で示される切り替え位置や切り替え時間に達する前にチャンネルを切り替えることができる。
【０１３５】
一方、チャンネル切り替え前に受信中の放送波の受信状態がある閾値より良い場合は、切り替え情報で示される切り替え位置や切り替え時間に達した後にチャンネルを切り替えることができる。
【０１３６】
従って、チャンネルの切り替えを切り替え情報で示される切り替え位置や切り替え時間からずらすことができる。特に、地上デジタル放送では、チャンネル変更によって、映像提示までに１秒〜数秒かかるが、本実施例２では、よりユーザの意向に沿う条件でチャンネルが切り替わるので、切り替え位置や切り替え時間の最適化を図ることができることから、チャンネルの切り替えによってユーザが番組内容を見逃すというトラブルを回避できる。
【実施例３】
【０１３７】
本実施例３は、上述した実施例１のさらに変形例であり、放送特定情報取得部１９が、放送受信機が受信中の放送波から番組開始時刻や終了時刻を放送特定情報としてさらに取得し、切り替え履歴情報保持部２０が、放送特定情報取得部１９によって取得された放送特定情報を切り替え情報として保持するものである。
【０１３８】
切り替え時刻によるチャンネル切り替えは、番組内のコーナーの切れ目やＣＭ（Ｃｏｍｍｅｒｃｉａｌ  Ｍｅｓｓａｇｅ）中など、番組の切れ目に生じることが多いと考えられるが、番組の開始時刻や番組の長さが変わるとそれら番組の切れ目が生じる時刻に変化が生じる。
【０１３９】
そのため、本実施例３は、番組開始時刻、終了時刻も切り替え情報として保持し、切り替え条件情報として用いることで、番組編成が通常と異なるか否かを判断でき、番組の開始時刻や終了時刻が通常と異なる場合は、番組編成が通常と異なると判断し、チャンネル切り替えを行う番組の切れ目が生じる時刻も通常と異なるため、チャンネル切り替えを行わないようにすることができる。
【０１４０】
また、本実施例３は、放送受信機の制御部１６に、放送波中に通常の番組編成とは異なる編成となっていることを示すフラグが立っているか否かを識別する機能を持たせ、フラグが立っている場合には、自動でチャンネル切り替えを行わないようにしてもよい。
【０１４１】
さらに、本実施例３は、放送受信機の制御部１６に、番組の状態（ＣＭ中など）を検知する機能を持たせて、検知した番組の状態が示す情報を、切り替え条件情報として用いてもよい。
【０１４２】
例えば、本実施例３による制御部１６が番組の状態を検知する方法としては、放送波中の音声のチャンネル数（ステレオ、モノラルなど）の変化を検知することや、音声の大きさの最大値の変化を検知することや、放送波に挿入されている番組の状態を示すフラグの変化を検知することなどによって、番組の状態を検知することなどが考えられる。
【０１４３】
さらにまた、本実施例３は、第３の実施の形態に対応する例として、チャンネルを切り替えて切り替え情報を保持した後に、ユーザの指示情報の入力により、切り替え後のチャンネルを切り替え前のチャンネルに戻した場合や、チャンネルを切り替えたが切り替え後のチャンネルの受信状態が予め定めた所定の閾値より悪かった場合などに、このチャンネルの切り替えはユーザの望む切り替えではなかったという情報を切り替え情報として保持し、切り替え条件情報として用いても良い。
【０１４４】
図１０に、本実施例３による切り替え履歴情報保持部２０が切り替え情報を蓄積して生成した切り替え履歴情報の１例を示す。
【０１４５】
図１０は、図８とほぼ同様の図であるが、切り替え情報の構成項目に番組開始終了時刻やフラグなど付加情報の項目が追加されている点で異なる。
【０１４６】
本実施例３による付加情報は、チャンネル切り替え前の番組開始時刻及び番組終了時刻と、チャンネル切り替え前の番組状態と、異編成フラグと、切り替え適否フラグの各項目から構成されている。
【０１４７】
番組開始時刻、番組終了時刻の項目は、切り替え履歴情報保持部２０が蓄積している、現在受信中の番組と同一番組についての番組開始時刻及び番組終了時刻を示しており、現在受信中の番組の番組開始時刻又は終了時刻と異なっているかどうかの判断に使用され、異なっていると判断された場合には、切り替え情報検索部２１による検索対象から除外される。
【０１４８】
番組状態の項目には、チャンネル切り替えの際に検知した番組状態（ＣＭ中など）を保持しておく。
【０１４９】
いつも同じ番組状態でチャンネル切り替えを行っている場合に、位置、時刻に加えて番組状態も切り替え条件とする。
【０１５０】
異編成フラグの項目は、受信中の放送波中に通常の番組編成とは異なることを示すフラグが入っている場合に、その情報を保持しておく。
【０１５１】
このフラグが立っている切り替え情報は、通常の番組編成と異なるので、切り替え条件検索部２１による検索対象から除外される。
【０１５２】
切り替え不適の項目は、チャンネルを切り替えて切り替え情報を保持した後に、ユーザの指示情報の入力により、切り替え後のチャンネルを切り替え前のチャンネルに戻した場合や、チャンネルを切り替えたが切り替え後のチャンネルの受信状態が予め定めた所定の閾値より悪く、切り替え前のチャンネルに戻した場合などに、フラグが立つ。
【０１５３】
このフラグが立っている切り替え情報は、ユーザの望まない切り替えで保存されたものであると判断され、切り替え条件検索部２１による検索対象から除外される。
【０１５４】
例えば、図１０に示されるＮｏ．１及びＮｏ．２の切り替え情報は、異編成フラグが立っていたり切り替え不適フラグが立っていたりすることから、切り替え条件として設定されない。
【０１５５】
従って、本実施例３によれば、保存している切り替え情報と、放送受信機が受信中の放送波の放送特定情報との差異により、その切り替え情報を切り替え条件として設定することの妥当性を判断するので、ユーザが希望しないチャンネルの切り替えを容易に回避できる。
【０１５６】
また、ユーザの望まない切り替えで保存された切り替え情報を、切り替え条件として設定することを回避できる。
【実施例４】
【０１５７】
まず、実施例１について説明する。上述した実施例１は、位置情報取得部１４が取得し、または、切り替え条件として用いる位置情報として、ＧＰＳで得られる緯度・経度・高度情報を位置情報として用いた。これに対し、本実施例４による携帯電話機やＰＨＳに搭載された放送受信機の場合は、通信を接続している基地局が設置されている位置、この基地局を識別できるＩＤ、または、基地局に関するその他の情報を位置情報として用いてもよい。
【０１５８】
本実施例４によれば、ＧＰＳを有さない放送受信機においても、位置情報を取得し、切り替え条件として用いることができる。この位置情報は、放送受信機の位置をある程度特定できる精度をもつ位置情報であることが望ましい。
【実施例５】
【０１５９】
以下、実施例５について説明する。上述した実施例１は、図８のNO．０、NO．３と、図９のNO．０とを参照すると、切り替え条件情報として保持する切り替え時刻や切り替え位置を示す情報として、相関関係が高い２つの切り替え情報がそれぞれ示す時刻及び位置を基準に、チャンネルを切り替える時刻の範囲及び位置の範囲を示す。これに対し、本実施例５は、切り替えに利用された頻度も切り替え条件情報として保持しておき、切り替え条件情報として保持する切り替え時刻や切り替え位置に優先して、頻度が高い時刻や位置でチャンネルを切り替える。
【０１６０】
本実施例５によれば、切り替えに利用された頻度が高い条件で優先的にチャンネルを切り替えるので、複数の切り替え情報で示される切り替え条件の範囲内で、より良好な受信状態を維持してチャンネルを切り替えられる。また、より良好な受信状態を維持してチャンネルを切り替えられるので、ユーザの希望に沿ったチャンネルの切り替えが可能となる。
【実施例６】
【０１６１】
図５に示した第２の実施の形態による放送受信機ついての１例である実施例６を説明する。
【０１６２】
本実施例６は、切り替え条件の発生待ち処理（図４：ステップ４０７）までは、実施例１と同様である。実施例１では、切り替え条件が発生したとき（ステップ４０８）、放送受信機１０が自動でチャンネル切り替え処理を行ったが（ステップ４０９）、本実施例は、切り替え条件が発生したとき（ステップ４０８）、自動でチャンネル切り替え処理を行う（ステップ４０９）のではなく、代替チャンネルを表示部１７やスピーカ１８で提示して（図５：ステップ４１０）ユーザに提示し、ユーザの操作によるチャンネル切り替え指示等、ユーザの指示情報の入力をする（ステップ４１１）点で実施例１と異なる。
【０１６３】
例えば、図８で示すＮｏ．０の切り替え条件の発生待ち処理において、放送受信機が放送を受信する位置が、Ｎｏ．０の切り替え条件における切り替え位置の範囲内に入り、時刻が、Ｎｏ．０の切り替え条件における切り替え時刻になったとき、代替チャンネルを表示部１７で表示して、代替チャンネルが存在することをユーザに提示する。
【０１６４】
提示方法は、表示部１７の表示画面上にアイコンを表示させる方法や、アイコンを点滅させる方法や、切り替えボタンを点滅させる方法や、スピーカ１８によりアナウンスや電子音等の音声で知らせる方法等が考えられる。
【０１６５】
そして、ユーザが、この提示により切り替えを意図したタイミングで、代替チャンネルへの切り替えを指示するためにキー入力部１３を操作する。
【０１６６】
次いで、放送受信機が、キー入力部１３を介してユーザの指示情報を入力した時点で、入力したユーザの指示情報に基づいて、切り替え先のチャンネルへ切り替えを行う。
【０１６７】
本実施例６によれば、チャンネル切り替えを、切り替え情報で示される切り替え位置や切り替え時間からユーザがずらすことができるので、よりユーザの意向に沿う条件でチャンネルが切り替わることとなる。
【０１６８】
また、チャンネルを自動で切り替える方法と、手動で切り替える方法とを併用することも可能である。
【０１６９】
例えば、切り替え条件における切り替え時刻を特定できる場合は、チャンネルを自動で切り替える方法を採用する。
【０１７０】
一方、切り替え条件における切り替え時刻を特定できない場合や特定した切り替え時刻に切り替えができなかった場合は、チャンネルを手動で切り替える方法を採用し、代替チャンネルを表示部１７やスピーカ１８で代替チャンネルの存在をユーザへ提示し、ユーザの指示情報の入力を待つ。
【０１７１】
この場合、本実施例６は、所定の条件において、チャンネルを自動で切り替えるので、ユーザの意向を満たした上で、ユーザのチャンネル切り替えの手間を省くことができる。
【実施例７】
【０１７２】
以下、実施例７について説明する。上記実施例６では、切り替え履歴情報保持部２０が切り替え情報を保持するためのトリガを、同一番組を視聴するためにサーチ起動を指示するユーザの指示情報がキー入力部１３から入力される時点とした。これに対し、本実施例７は、別の番組を視聴するためにサーチ起動を指示するユーザの指示情報がキー入力部１３から入力される時点とする。
【０１７３】
また、本実施例は、受信状態が悪化したことを検出して放送受信機の存在するエリアの受信可能チャンネルへチャンネルを切り替えた際のサーチ起動の時点をトリガとして、切り替え履歴情報保持部２０が切り替え情報を保持する。
【０１７４】
さらに、本実施例は、切り替え先のチャンネルを直接指定する手段や、切り替え先のチャンネルとして選択された複数のチャンネル候補を、所定のチャンネル順にサーチすることによって受信可能なチャンネルをさらに特定する手段を備える放送受信機でもよく、この場合、ユーザの指示によりチャンネルの切り替えが行われながら番組内容が順次ユーザに確認され、最終的にユーザに選択されたチャンネルに関する情報を、切り替え履歴情報保持部２０が切り替え情報として保持してもよい。
【０１７５】
以上好ましい複数の実施の形態及び実施例をあげて本発明を説明したが、本発明は必ずしも、上記実施の形態及び実施例に限定されるものでなく、その技術的思想の範囲内において様々に変形して実施することができる。
【図面の簡単な説明】
【０１７６】
【図１】本発明の第１の実施の形態による放送受信機の機能構成を示すブロック図である。
【図２】本発明の第１の実施の形態による放送受信機のハードウェア構成を示すブロック図である。
【図３】本発明の第１の実施の形態による放送受信機の動作を示すフローチャートである。
【図４】本発明の第１の実施の形態による放送受信機の動作を示すフローチャートである。
【図５】本発明の第２の実施の形態による放送受信機の動作を示すフローチャートである。
【図６】本発明の第３の実施の形態による放送受信機の動作を示すフローチャートである。
【図７】本発明の第１の実施の形態による放送受信機の実施例１の動作を示すフローチャートである。
【図８】本発明の実施例１による切り替え履歴情報保持部２０が切り替え情報を蓄積して生成した切り替え履歴情報の１例である。
【図９】本発明の実施例１による切り替え条件情報の生成処理によって生成された切り替え条件情報の１例である。
【図１０】本発明の実施例１による切り替え履歴情報保持部２０が切り替え情報を蓄積して生成した切り替え履歴情報の１例である。
【符号の説明】
【０１７７】
１０：放送受信機
１１：アンテナ
１２：放送受信部
１３：キー入力部
１４：位置情報取得部
１５：時刻取得部
１６：制御部
１７：表示部
１８：スピーカ
１９：放送特定情報取得部
２０：切り替え履歴情報保持部
２１：切り替え条件検索部
２２：切り替え条件情報保持部
１０１：ＣＰＵ
１０２：主記憶部
１０３：放送受信部
１０４：表示部
１０５：スピーカ
１０６：入力部
１０７：インタフェース部
１０８：補助記憶部
【図１】
2006311249.tif 000003
【図２】
2006311249.tif 000004
【図３】
2006311249.tif 000005
【図４】
2006311249.tif 000006
【図５】
2006311249.tif 000007
【図６】
2006311249.tif 000008
【図７】
2006311249.tif 000009
【図８】
2006311249.tif 000010
【図９】
2006311249.tif 000011
【図１０】
2006311249.tif 000012